(57)【要約】      （修正有）【課題】品物を入れる箱の蓋に飾りを付けて店内雰囲気を盛り上げる。【解決手段】蓋本体１を折り畳み或は伸縮可能なるようにし、その上面に表示手段２０を取付ける。そしてこの表示手段２０はそれ自身折畳み可能で蓋本体１を折畳むと、自身も共に折畳まれて蓋本体１の二部分の間に納まり、蓋本体１を開くと、表示手段２０も展開されて蓋本体１の上面に立ち上がって、この表示手段２０に派手な模様彩色を施すことで、店内を視覚的に賑やかにしようとするものである。【選択図】図１
0003109512.tif 000002
【実用新案登録請求の範囲】
【請求項１】
両側縁に容器の縁に係止可能な掛止片を有し、自身は折畳み或は伸縮可能で平面状に展開伸長して使用する蓋本体上面に、それ自身折畳めて、上記蓋本体の展開伸長に連動して、展開伸長された蓋本体の上面に立ち上がる表示手段を上記蓋本体に取付けてなる容器の折畳み式蓋。
【請求項２】
蓋本体の一側縁の掛止片が蓋本体に対して摺動可能な摺動部材に設けられて、蓋本体から弾性的に引き出し可能であって、異なる幅の容器に適合して被着出来るようにした請求項１記載の容器の折畳み式蓋。
【請求項３】
蓋本体が左右２片より成り、この両片をヒンジ結合した構造で、この両片を結合する上記ヒンジが弾性的に変形可能であって、そのことにより蓋本体の左右２片を左右に引き離すことが可能となっており、このことにより蓋本体を幅の異なる容器に適合被着させ得るようにした請求項１記載の容器の折畳み式蓋。
【請求項４】
表示手段が折り目によって折り畳み可能で、一方の端が蓋本体をなす２片のうちの左の片に接着され、他方の端が右の片に接着されて、蓋本体を平面に展開したとき、蓋本体上に衝立状に立ち上がるようになっている請求項３記載の容器の折畳み式蓋。
【請求項５】
柄の部分が蓋本体上の前記表示手段および蓋本体を貫通して挿入出来る柄を有し、前記表示手段に付加される第２の表示手段を備えた請求項１，２，３，４のいずれか一項記載の容器の折畳み式蓋。
【考案の詳細な説明】
【技術分野】
【０００１】
本考案は物を入れて運ぶ通い箱とかパチンコ店で玉を入れる箱等の容器に被せる蓋であって、使用時には嵩高くなって派手さを演出出来、不使用時には小さく折畳みが出来るようにした蓋に関する。
【背景技術】
【０００２】
通い箱とか店で小物を多数入れて陳列する陳列箱、また例えばパチンコ店でパチンコ玉を入れる箱等の蓋は単なる蓋であって、他の機能は有しないのが普通である。まして箱の蓋を目立たせることによって宣伝効果を得たり、店の雰囲気を明るく盛り上げる効果を得ようとする考えは無かった。
【考案の開示】
【考案が解決しようとする課題】
【０００３】
解決しようとする課題は、蓋を目立たせる飾りを蓋本体に付け、しかも蓋の本来の機能を失わないようにすることである。
【課題を解決するための手段】
【０００４】
上記課題を解決するために本発明を、両側縁に容器１０の縁に係止可能な掛止片４を有し、自身は折畳み或は伸縮可能で平面状に展開伸長して使用する蓋本体１上面に、それ自身折畳めて、上記蓋本体１の展開伸長に連動して、展開伸長された蓋本体１の上面に立ち上がる表示手段２０を上記蓋本体１に取付けてなる容器の折畳み式蓋とする。このように、蓋本体１を折畳み可能とし、その折畳むことと連動して、蓋を折畳むとそれに伴って飾りの部分も折畳まれ、蓋を展開すると飾り部分が立ち上がり嵩高い表示手段２０（飾り）となることで、大いに目立ち派手な雰囲気を発散出来るようになる。
【０００５】
なお、上記構成の折畳み式蓋にあっては、蓋本体１の一側縁の掛止片４が蓋本体１に対して摺動可能な摺動部材３に設けられて、蓋本体１から弾性的に引き出し可能であって、異なる幅の容器１０に適合して被着出来るようにすることが好ましい。
【０００６】
また、蓋本体１が左右２片１ａ，１ｂより成り、この両片１ａ，１ｂをヒンジ結合した構造で、この両片１ａ，１ｂを結合する上記ヒンジ２が弾性的に変形可能であって、そのことにより蓋本体１の左右２片１ａ，１ｂを左右に引き離すことが可能となっており、このことにより蓋本体１を幅の異なる容器１０に適合被着させ得るようにすることも好ましい。
【０００７】
そして、表示手段２０が折り目によって折り畳み可能で、一方の端が蓋本体１をなす２片１ａ，１ｂのうちの左の片１ａ（１ｂ）に接着され、他方の端が右の片１ｂ（１ａ）に接着されて、蓋本体１を平面に展開したとき、蓋本体１上に衝立状に立ち上がるようになっていることも好ましい。
【０００８】
また、柄の部分が蓋本体１上の前記表示手段２０および蓋本体１を貫通して挿入出来る柄を有し、前記表示手段２０に付加される第２の表示手段２０′を備えることも好ましい。
【考案の効果】
【０００９】
本考案に係る蓋は展開して箱の蓋とされるのであるが、展開すると蓋に取付けられた表示手段が孔雀の尾羽のように立ち上がり、全体として立体化して甚だ派手な様子を呈することとなり、商品の宣伝になり或は店内の雰囲気を華やかにして店を繁盛させる効果が得られるのである。
【考案を実施するための最良の形態】
【００１０】
この実施形態はパチンコ店におけるものである。パチンコ店では客は獲得した玉を箱に入れ、これらの箱はパチンコ台に向かっている客の横或は後に置かれるのが普通である。従来この箱には蓋は無かったので、箱内のパチンコ玉は露出しており、客の後を通る人が一寸その玉を取って使ったり、悪気が無くても隣の客がうっかり横の箱の玉を使ってしまうことがある。このようなトラブルを未然に防ぐには、パチンコ玉を入れる箱に蓋を被着すればよい。この蓋は簡単に箱に係止出来ることが望ましい。本考案はこの蓋を折畳み可能として着脱を容易にすると共に折畳み出来ることを利用して、使用時に蓋に取付けた表示手段を展開して立ち上げ、また逆に折畳んで格納するときは嵩張らないようにしたものである。表示手段は展開された時は蓋全体が一枚の蓋板である以上に立体化し、視覚的に目立った状態を呈することで、蓋本来のトラブル予防効果と共に、パチンコ店内に派手に目立つ飾りを増して店内の雰囲気を賑やかにするのである。
【００１１】
上例はパチンコ店に係るものであるが、これに限られずパチスロ遊技場でコインを入れる容器の蓋、一般の商品販売店で商品を入れる陳列容器の蓋或は出前用の岡持の蓋に適用しても効果の期待出来るものである。
【実施例】
【００１２】
図１，図２に本考案の一実施例を示す。１が蓋の本体で、ポリプロピレンの一枚の成形品であり、一つの中心線に沿って半切りの溝が設けられ、この溝をヒンジ２として二つ折りに折畳める。この蓋の上記ヒンジ２と平行の両側辺には掛止片４，４′が設けられている。両掛止片４，４′の縁には夫々内向きに突条５が形成されており、一方、箱本体（容器）１０の口縁はフランジ１１で補強されており、蓋の両側の掛止片４，４′の縁の突条５をフランジ１１に係止させることで、蓋本体１が箱本体１０の上に被着される。
【００１３】
図で２０が蓋本体１に取付けられた表示手段（飾り）で、この例では火山を象どっており内側の火山本体を表す表示部材２０１と外側の山部分を表す表示部材２０２とより成っており、これらの表示部材２０１，２０２等は蓋本体1と同材のポリプロピレンで作られていて、各部分は二つ折りに出来るように条溝２１が設けられており、蓋本体１のヒンジ２を跨ぐように蓋本体１に接着されている。条溝２１の両側の各部毎に夫々接着代２２で蓋本体１に接着されている。これら表示部材２０１，２０２等は紙でもよい。
【００１４】
図２（Ｃ）は蓋の半開状態の平面図で上述した表示手段２０が蓋本体１の開閉と連動して展開または折畳まれる途中の状態を示しており、この図で表示手段２０が蓋本体１を畳むとその間に挟まれて自身も折畳まれ、蓋本体１を展開すると表示手段２０も拡がって蓋本体１上に立ち上がることになる関係は説明せずとも了解出来るであろう。３０は蓋本体１の両端部に取り付けられた面状ファスナーで、蓋本体１を畳んだとき表示手段２０も含めた蓋全体がきっちりと閉じられて収納し易くする為のものである。
【００１５】
表示手段２０の火口の底に相当する蓋本体１の中央を通るヒンジ２の折り目にはスリット２３が切ってあり、蓋本体１を展開したとき、表示手段２０の火口からこのスリット２３に別の第２の表示手段２０′が挿入保持されるようにしてある。この例では第２の表示手段２０′は平面的で図柄と文字が書かれている。表示手段２０′は団扇形の２枚の板を団扇部分の先端でヒンジ結合したポリプロピレン製で間に蛇の目状に貼り合わせて彩色を施した紙を介在させ、２枚の板を開いて合わせると蛇の目部分が球状に展開されるようにしたものでもよい。何れの例でも柄の部分を前記した表示手段２０の火口からスリット２３を通して挿入し、柄の先端を箱内のパチンコ玉の間に突き込んで立て、表示全体を一層派手なものとするのである。
【００１６】
図２（Ａ）は縦断側面図で部材の厚さを誇張して描いてある。図２（Ｂ）は下面図である。これらの図を参照しながら説明を続ける。蓋本体１の両側に設けられた掛止片４、４′の内、一方４は蓋本体１から一体的に延出されているが、他方の４′は蓋本体１の下面に取り付けられた摺動板（摺動部材）３と一体的になっており、この摺動板３を出入させて蓋本体１の幅を種々なサイズの箱本体１０の幅に適応させ得るようにしてある。即ち摺動板３には長孔１２が穿たれ、ヒンジ２によって２部分に分かれている蓋本体１の一方において、この長孔１２を通して鳩目１４によって蓋本体１に取り付けられており、ゴム，スプリング等の弾性条１３の一端が固着され、この弾性条１３の他端が蓋本体１に固着されている。この構造によって、蓋本体１を箱本体１０に被着するときは、先ず掛止片４を箱本体１０の一方の側縁のフランジ１１に掛け、他方の掛止片４′を引き出すように引っ張って箱本体１０の反対側のフランジ１１に掛け止めるようにする。このとき弾性条１３の張力が蓋本体１の箱本体１０への被着を安定化させるのである。そして掛止片４′の引き出し量によって種々なサイズの箱本体１０の幅に適応出来るのである。
【００１７】
表示手段２０や２０′はそれ自身扁平に折畳めて、開いたときに平面状である場合でも、展開された蓋の面と交わる面となって立ち上がり、蓋と併せて全体が立体的になるもので基本的には構造は自由であり、前項で述べた構造に限られない。またランプを仕込んで蓋の使用状態において表示部が内側から照明されるようにして視覚的効果を一層高めることも可能である。
【００１８】
図３（Ａ）、（Ｂ）は他の実施例を示す（部材の厚みは省略）。この例は蓋本体１を２枚の片１ａ，１ｂに分割し両片１ａ，１ｂをゴム紐とかスプリングのような弾性条２ａで繋いでヒンジ２としたものである。蓋本体１の各片１ａ，１ｂの側辺には掛止片４が設けられている。表示手段２０は二つ折りにした硬質のシ−ト（紙、ポリプロピレンなど）より成り、蓋本体１のヒンジ部分を跨ぐように、即ち二つ折りの折り線を蓋本体１の両片１ａ，１ｂの相対向辺と平行にして両端の接着代２２の部分で蓋本体１の両片１ａ，１ｂの上面に接着してある。図３（Ａ）はこの蓋を展開した状態を示しており、表示手段２０は蓋本体１の上に衝立状に起立している。図３（Ｂ）は蓋を畳んだ状態を示す。全体は図のようにＷ字状に畳まれる。畳まれた蓋を箱本体１０に被着するには蓋本体１の両片１ａ，１ｂをヒンジ２の弾性に抗して左右に引っ張り、蓋本体１の左右の掛止片４を箱本体１０のフランジ１１に掛止すればよい。ヒンジ２の弾性によって蓋本体１を種々のサイズの箱本体１０の幅に適応させ得ると共に、掛止片４と箱本体１０のフランジ１１との間の係合を確実にしている。
【００１９】
第２の表示手段２０′（前述）を付加するには、第２の表示手段２０′の柄の部分を表示手段２０の頂部稜線に設けられたスリット２３を通して箱内のパチンコ玉の間に突き込んで立てればよい。
【００２０】
図３（Ｃ）は図３（Ａ）の変形実施例である。図３（Ａ）の例との差異は蓋本体１の両片１ａ，１ｂを継ぐヒンジ２の部分で、この例では蓋本体１は一枚続きで中央線に沿って逆Ｖ字形に折り曲げてこの折り曲げた部分をヒンジ２とした。このヒンジ２はその立ち上がり部分を貫通して弾性条２ａが掛け渡してあって逆Ｖ字形のヒンジ２を閉じるように付勢している。それ故、蓋本体１を箱本体１０に被着するときは前例と同様に蓋本体１を左右に引っ張って掛止片４を箱本体１０のフランジ１１に掛け止めればよく、種々なサイズの箱本体１０の幅に適応させることができる。また表示手段２０およびヒンジ２の稜線には夫々スリット２３，２３′が設けてあり、第２の表示手段２０′を挿入出来るようになっている。図３（Ｄ）は折り畳んだ状態を示す。その他は図３（Ａ）と同じで図３（Ａ）の各部と対応する部分には同じ番号を付けて一々の説明は省略する。
【産業上の利用可能性】
【００２１】
上述した説明はパチンコ店を対象としてなされたが、パチンコ店の場合、玉を入れる箱は客の後或は横に置かれ、それらに派手な蓋が載っているので外から店内を覗くと客が大勢入っており、玉が良く出ているように見えるので客を呼ぶ効果が得られるのである。
【００２２】
この蓋は使用時の嵩張りは大きいが畳めるので不使用時の格納に困ることは無いと言う特徴がある。
【００２３】
販売品の性質にもよるが、店内が賑やかであることが販売を伸ばす上で望ましい種類の店では品物を容器に入れて陳列する場合、蓋に本考案を適用することによって、照明を明るくしたりするのと同様に視覚的に賑やかさを演出できて、音楽を流すことと同様に販売促進に有効である。
【図面の簡単な説明】
【００２４】
【図１】本考案の一実施例の全体斜視図である。
【図２】上記の蓋だけを示し、（Ａ）は縦断面図、（Ｂ）は下面図、（Ｃ）半開き状の平面図である。
【図３】他の実施例の蓋を示し、（Ａ）は斜視図、（Ｂ）は側面図、（Ｃ）は変形例の斜視図、（Ｄ）は変形例の側面図である。
【符号の説明】
【００２５】
１  蓋本体
２  ヒンジ
３  摺動板
４  掛止片
１０  箱本体
２０  表示手段
２０′  第２の表示手段
【図１】
0003109512.tif 000003
【図２】
0003109512.tif 000004
【図３】
0003109512.tif 000005